(57)【要約】【課題】食品宅配サービスにおいて、配達車両の燃料がフルになった時点及び場所を特定し、燃料の残容量を踏まえた食品の配達計画の作成を可能とすること。【解決手段】配達車両に通信可能に接続される配達管理サーバであって、配達車両から配達車両の給油情報を受信した場合、配達車両のステータス情報を配達車両に給油中状態である給油中ステータスと判定するステータス判定部３０Ａを備え、ステータス判定部３０Ａはさらに、配達車両のステータス情報を給油中ステータスであると判定した後に、配達車両の状態が予め設定される給油解除条件を満たす場合に、配達車両の給油中ステータスを解除する。【選択図】図１
2018055468.tif 000002
【特許請求の範囲】
【請求項１】
配達車両に通信可能に接続される配達管理サーバであって、
前記配達車両から前記配達車両の現在位置情報、前記配達車両の給油情報を受信する受信部と、
前記配達車両に商品の配達先である配達先情報を送信する送信部と、
前記配達先情報に基づいて、前記配達先の緯度経度を含むエリアを示すジオフェンス情報を設定するジオフェンス設定部と、
前記受信部により前記配達車両から前記配達車両の現在位置情報を受信した場合、前記配達車両の現在位置情報の示す位置が前記ジオフェンス設定部により設定された前記ジオフェンス情報の示すエリアの内部に存在するとき、前記配達車両のステータス情報を前記商品の配達先における顧客に接客中状態である接客中ステータスと判定し、
前記受信部により前記配達車両から前記配達車両の給油情報を受信した場合、前記配達車両のステータス情報を前記配達車両に給油中状態である給油中ステータスと判定するステータス判定部と、を備え、
前記ステータス判定部はさらに、
前記配達車両のステータス情報を給油中ステータスであると判定した後に、前記配達車両の状態が予め設定される給油解除条件を満たす場合に、前記配達車両の給油中ステータスを解除する、
ことを特徴とする配達管理サーバ。
【請求項２】
前記給油解除条件は、
前記受信部により前記配達車両から受信する前記配達車両の現在位置情報の示す位置が、時系列的に変化する前記配達車両の状態を含むことを特徴とする請求項１に記載の配達管理サーバ。
【請求項３】
前記受信部は、さらに、
前記配達車両から前記配達車両の起動スイッチがオン又はオフになったことを示す前記配達車両の起動情報を受信し、
前記給油解除条件は、
前記受信部により前記配達車両から前記配達車両の起動スイッチがオンになったことを示す起動情報を受信する前記配達車両の状態を含むことを特徴とする請求項１記載の配達管理サーバ。
【請求項４】
前記配達管理サーバは、さらに、
前記配達先情報の送信先となる配達車両を、前記配達先情報及び直近の給油中ステータスが解除されて以降の前記配達車両のステータス情報に基づいて決定する配達先割当部を備える請求項１に記載の配達管理サーバ。
【請求項５】
配達車両に通信可能に接続される配達管理サーバによる前記配達車両の配達管理方法であって、
前記配達管理サーバが、
前記配達車両から前記配達車両の現在位置情報、前記配達車両の給油情報を受信する受信ステップと、
前記配達車両に商品の配達先である配達先情報を送信する送信ステップと、
前記配達先情報に基づいて、前記配達先の緯度経度を含むエリアを示すジオフェンス情報を設定するジオフェンス設定ステップと、
前記受信ステップにおいて、前記配達車両から前記配達車両の現在位置情報を受信した場合、前記配達車両の現在位置情報の示す位置が前記ジオフェンス設定ステップにおいて設定された前記ジオフェンス情報の示すエリアの内部に存在するとき、前記配達車両のステータス情報を前記商品の配達先における顧客に接客中状態である接客中ステータスと判定し、
前記受信ステップにおいて、前記配達車両から前記配達車両の給油情報を受信した場合、前記配達車両のステータス情報を前記配達車両に給油中状態である給油中ステータスと判定するステータス判定ステップと、を備え、
前記ステータス判定ステップはさらに、
前記配達車両のステータス情報を給油中ステータスであると判定した後に、前記配達車両の状態が予め設定される給油解除条件を満たす場合に、前記配達車両の給油中ステータスを解除する、
ことを特徴とする配達管理方法。
【請求項６】
前記給油解除条件は、
前記受信ステップにおいて前記配達車両から受信する前記配達車両の現在位置情報の示す位置が、時系列的に変化する前記配達車両の状態を含むことを特徴とする請求項５記載の配達管理方法。
【請求項７】
前記配達管理サーバは、
前記受信ステップにおいて、さらに、
前記配達車両から前記配達車両の起動スイッチがオン又はオフになったことを示す前記配達車両の起動情報を受信し、
前記給油解除条件は、
前記受信ステップにおいて前記配達車両から前記配達車両の起動スイッチがオンになったことを示す起動情報を受信する前記配達車両の状態を含むことを特徴とする請求項５記載の配達管理方法。
【請求項８】
前記配達管理方法は、さらに、
前記配達管理サーバが、
前記配達先情報の送信先となる配達車両を、前記配達先情報及び前記配達車両のステータス情報における直近の給油中ステータスが解除されて以降の前記配達車両のステータス情報に基づいて決定する配達先割当ステップを備える請求項５記載の配達管理方法。
【発明の詳細な説明】
【技術分野】
【０００１】
本発明は、注文を受け付けた飲食店等の店舗から、注文された品物をオートバイや自動車等の配達車両を用いて、注文主により指定された場所及び時間帯に配達する宅配サービスを支援するための配達管理サーバ及び配達管理方法に関するものである。特に、配達車両に燃料充填（給油、給電、燃料ガスの充填等）（以下、簡単のため「給油」と総称する）のために停車させた場合に、当該配達車両の給油中ステータスの解除を自動的に行うとともに、配達車両の燃料の残容量を踏まえて配達計画の作成を支援する配達管理サーバ及び配達管理方法に関する。
【背景技術】
【０００２】
従来から飲食店に自宅から電話やインターネットでピザや寿司等の食品を注文し、飲食店からオートバイや自動車等の配達車両を用いて自宅に配達する食品宅配サービスが拡大している。
このような食品宅配サービスでは、完成した食品を迅速に届けることが求められており、効率的な配達計画の作成を行うことが必要となっている。そして、効率的な配達計画の作成を行うためには、その前提として、配達車両（配達員）の的確な管理が求められる。
このため、例えば、特許文献１には、配達員現在位置把握システムが開示されている。特許文献１には、特に配達車両（配達員）の現在位置を把握する手段や、配達車両（配達員）に何かあった場合に緊急通報を行う手段を備えることが開示されている。
【先行技術文献】
【特許文献】
【０００３】
【特許文献１】特開２００２−２２０１１９号公報
【発明の概要】
【発明が解決しようとする課題】
【０００４】
しかしながら、特許文献１に記載の技術では、配達車両（配達員）が「配達中」であるのか「帰店中」であるのかはコンピュータ端末サーバで推測することはできるが、配達車両から送信される位置情報の信号に基いて判断しているため、把握できるのはどの位置をどのくらいの速度でとちらに向かっているか等の移動に関する情報のみであった。
また、特許文献１に記載の技術では、最先に帰店する配達車両（配達員）を対象として予め算出した帰店予定時間が予め設定した帰店時設定時間以内になった場合、次に配達すべき注文内容を知らせるように構成されているに過ぎない。
【０００５】
他方、食品宅配サービスにおいて、完成した食品を迅速に届けるためには、当該食品の配達先に対して配達車両（配達員）の割当てを行うに際して、配達に要する時間を効率化するためには、配達車両の状態（ステータス）、配達車両の配達経路を把握すること、及び配達車両が停止しているときの状態（ステータス）とその理由を把握することが必要となる。特に、配達車両が給油のために停車し、給油を終了した状態を把握することは、その時点で当該配達車両の燃料がフルに充填されたと推測され、それ以降の当該配達車両の配達先を決定するために特に重要な状態である。
【０００６】
これに対して、特許文献１には、配達車両（配達員）が停止している状態とその理由を把握すること、また、配達車両が給油のために停車し、給油を終了した状態を把握することについて記載も示唆もない。
【０００７】
本発明は、このような問題に鑑みてなされたものである。本発明は、注文を受け付けた飲食店等の店舗から、注文された品物をオートバイや自動車等の配達車両を用いて、注文主により指定された場所及び時間帯に配達する宅配サービスを支援するために、配達車両（配達員）が停止している状態とその理由を把握することを可能とし、特に配達車両が給油のために停車し、給油を終了した状態を自動的に把握するとともに、燃料（ガソリン、電気）の残容量を踏まえた配達計画の作成を可能とし、配達車両の停止時間を少なくするように、配達業務効率を高めることを可能とする配達管理サーバ及び配達管理方法を提供することを目的とする。
【課題を解決するための手段】
【０００８】
（１）本願発明は、配達車両に通信可能に接続される配達管理サーバであって、前記配達車両から前記配達車両の現在位置情報、前記配達車両の給油情報を受信する受信部（後述する「受信部３０２」）と、前記配達車両に商品の配達先である配達先情報を送信する送信部（後述する「送信部３０３」）と、前記配達先情報に基づいて、前記配達先の緯度経度を含むエリアを示すジオフェンス情報を設定するジオフェンス設定部（後述する「ジオフェンス設定部３０５」）と、前記受信部により前記配達車両から前記配達車両の現在位置情報を受信した場合、前記配達車両の現在位置情報の示す位置が前記ジオフェンス設定部により設定された前記ジオフェンス情報の示すエリアの内部に存在するとき、前記配達車両のステータス情報を前記商品の配達先における顧客に接客中状態である接客中ステータスと判定し、前記受信部により前記配達車両から前記配達車両の給油情報を受信した場合、前記配達車両のステータス情報を前記配達車両に給油中状態である給油中ステータスと判定するステータス判定部（後述する「ステータス判定部３０Ａ」）と、を備え、前記ステータス判定部はさらに、前記配達車両のステータス情報を給油中ステータスであると判定した後に、前記配達車両の状態が予め設定される給油解除条件を満たす場合に、前記配達車両の給油中ステータスを解除することを特徴とする配達管理サーバに関する。
【０００９】
（１）の配達管理サーバによれば、前記配達車両の状態が所定の条件を満たす場合に、配達車両の給油中ステータスの解除を自動的に行う。
それにより、配達車両の燃料がフルになった時点及び場所を特定することが可能となる。
【００１０】
（２）前記給油解除条件は、前記受信部により前記配達車両から受信する前記配達車両の現在位置情報の示す位置が、時系列的に変化する前記配達車両の状態を含むことを特徴とする（１）に記載の配達管理サーバ。
【００１１】
（２）によれば、受信部により前記配達車両から受信する前記配達車両の現在位置情報の示す位置が時系列的に変化する場合に、配達車両の給油中ステータスの解除を自動的に行う。
これにより、配達車両の燃料がフルになった時点及び場所を特定することが可能となる。
【００１２】
（３）前記受信部は、さらに、前記配達車両から前記配達車両の起動スイッチがオン又はオフになったことを示す前記配達車両の起動情報を受信し、前記給油解除条件は、前記受信部により前記配達車両から前記配達車両の起動スイッチがオンになったことを示す起動情報を受信する前記配達車両の状態を含むことを特徴とする（１）に記載の配達管理サーバ。
【００１３】
（３）によれば、受信部により前記配達車両から前記配達車両の起動スイッチがオンになったことを示す起動情報を受信した場合に、配達車両の給油中ステータスの解除を自動的に行う。
これにより、配達車両の燃料がフルになった時点及び場所を特定することが可能となる。
【００１４】
（４）前記配達管理サーバは、さらに、前記配達先情報の送信先となる配達車両を、前記配達先情報及び直近の給油中ステータスが解除されて以降の前記配達車両のステータス情報に基づいて決定する配達先割当部（後述する「配達先割当部３０７」）を備える（１）に記載の配達管理サーバ。
【００１５】
（４）の配達車両割当部は、前記配達先情報及び直近の給油中ステータスが解除されて以降の前記配達車両のステータス情報に基づいて、配達先情報を送信する配達車両（すなわち、当該配達先に配達する配達車両）を決定する。
それにより、配達車両に特別な仕組みを導入することなく、燃料（ガソリン、電気）の残容量を踏まえた配達計画の作成を可能とし、配達車両の停止時間を少なくするように、配達業務効率を高めることが可能となる。
【００１６】
（５）配達車両に通信可能に接続される配達管理サーバによる前記配達車両の配達管理方法であって、前記配達管理サーバが、前記配達車両から前記配達車両の現在位置情報、前記配達車両の給油情報を受信する受信ステップ（後述する「受信ステップ」）と、前記配達車両に商品の配達先である配達先情報を送信する送信ステップ（後述する「送信ステップ」）と、前記配達先情報に基づいて、前記配達先の緯度経度を含むエリアを示すジオフェンス情報を設定するジオフェンス設定ステップ（後述する「ジオフェンス設定ステップ」）と、前記受信ステップにおいて、前記配達車両から前記配達車両の現在位置情報を受信した場合、前記配達車両の現在位置情報の示す位置が前記ジオフェンス設定ステップにおいて設定された前記ジオフェンス情報の示すエリアの内部に存在するとき、前記配達車両のステータス情報を前記商品の配達先における顧客に接客中状態である接客中ステータスと判定し、前記受信ステップにおいて、前記配達車両から前記配達車両の給油情報を受信した場合、前記配達車両のステータス情報を前記配達車両に給油中状態である給油中ステータスと判定するステータス判定ステップ（後述する「ステータス判定ステップ」）と、を備え、前記ステータス判定ステップはさらに、前記配達車両のステータス情報を給油中ステータスであると判定した後に、前記配達車両の状態が予め設定される給油解除条件を満たす場合に、前記配達車両の給油中ステータスを解除することを特徴とする配達管理方法。
【００１７】
（６）前記給油解除条件は、前記受信ステップにおいて前記配達車両から受信する前記配達車両の現在位置情報の示す位置が、時系列的に変化する前記配達車両の状態を含むことを特徴とする（５）に記載の配達管理方法。
【００１８】
（７）前記配達管理サーバは、前記受信ステップにおいて、さらに、前記配達車両から前記配達車両の起動スイッチがオン又はオフになったことを示す前記配達車両の起動情報を受信し、前記給油解除条件は、前記受信ステップにおいて前記配達車両から前記配達車両の起動スイッチがオンになったことを示す起動情報を受信する前記配達車両の状態を含むことを特徴とする（５）に記載の配達管理方法。
【００１９】
（８）前記配達管理方法は、さらに前記配達管理サーバが、前記配達先情報の送信先となる配達車両を、前記配達先情報及び前記配達車両のステータス情報における直近の給油中ステータスが解除されて以降の前記配達車両のステータス情報に基づいて決定する配達先割当ステップ（後述する「配達先割当ステップ」）を備える（５）に記載の配達管理方法。
【００２０】
（５）〜（８）の配達管理方法によれば、（１）〜（４）の配達管理サーバと同様の効果を奏することができる。
【発明の効果】
【００２１】
本発明によれば、注文を受け付けた飲食店等の店舗から、注文された品物をオートバイや自動車等の配達車両を用いて注文主により指定された場所及び時間帯に配達する宅配サービスを支援するために、配達車両（配達員）が停止している状態とその理由を把握することを可能とし、特に配達車両が給油のために停車し、給油を終了した状態を自動的に把握するとともに、燃料（ガソリン、電気、燃料ガス等）の残容量を踏まえた配達計画の作成を可能とし、配達車両の停止時間を少なくするように、配達業務効率を高めることを可能とする。
【図面の簡単な説明】
【００２２】
【図１】配達管理システム１００のシステム構成を示す図である。
【図２】車両に搭載される車載ナビゲーション装置１の構成を示す図である。
【図３】携帯無線端末２の構成を示す図である。
【図４】配達管理サーバ３の構成を示す図である。
【図５】店舗用端末４の構成を示す図である。
【図６】配達管理サーバ３により管理される配達車両（配達員）のステータス情報の例を示す。
【図７】配達管理サーバ３により管理される配達車両（配達員）のステータス情報の判定フローを示す図である。
【図８】車載ナビゲーション装置１（又は携帯無線端末２）に表示される画面とその遷移図である。
【図９Ａ】店舗用端末４に表示される画面の遷移図である。
【図９Ｂ】店舗用端末４に表示される画面の一例を示す図である。
【図９Ｃ】店舗用端末４に表示される画面の一例を示す図である。
【図９Ｄ】店舗用端末４に表示される画面の一例を示す図である。
【図９Ｅ】店舗用端末４に表示される画面の一例を示す図である。
【図９Ｆ】店舗用端末４に表示される画面の一例を示す図である。
【図９Ｇ】店舗用端末４に表示される画面の一例を示す図である。
【図１０】給油中のジオフェンスの設定の一例を示す図である。
【発明を実施するための形態】
【００２３】
［第１実施形態］
以下、本発明の配達管理システムの好ましい一実施形態について、図１〜図５を参照しながら説明する。
【００２４】
［配達管理システム１００の機能構成］
本発明の好ましい一実施形態に係る配達管理システム１００の機能構成について説明する。
【００２５】
図１に示すように、配達管理システム１００は、無線通信網を含むネットワーク５で接続された、車載ナビゲーション装置１と、配達管理サーバ３と、店舗用端末４と、を含んで構成される。なお、車載ナビゲーション装置１は、スマートフォンに代表される携帯無線端末２であってもよい。
【００２６】
［車載ナビゲーション装置１について］
車載ナビゲーション装置１は配達車両Ａに固定又は脱着可能な状態で設置される。
配達車両Ａは四輪車や二輪車等であり、一例として図１においては小型の電動四輪車両を図示している。ナビゲーション装置１は配達車両Ａから車両の起動スイッチ（イグニッションスイッチ）のＯＮ／ＯＦＦの状態や、車速、さらに現在位置の情報を取得可能である。
また、車載ナビゲーション装置１は、配達車両Ａから取得した位置情報か自身の位置情報を定期的、もしくは必要に応じて無線通信網を含むネットワーク５を介して配達管理サーバ３にアップロードする。
また、車載ナビゲーション装置１は、さらに、配達車両Ａのエンジン始動やＥＶシステム起動の起動スイッチ（イグニッション・スイッチ）のオン（ＩＧ−ＯＮ）とオフ（ＩＧ−ＯＦＦ）の情報を配達管理サーバ３にアップロードする。
また、入力部（例えばタッチパネル等）によって入力された給油等の停止理由情報（停車ステータス）を配達管理サーバ３にアップロードする。
さらに配達管理サーバ３から無線通信網を含むネットワーク５を介して受信した配達先に配達する品物情報、配達先の住所氏名等を含む位置情報、配達先までの往路や店舗までの復路情報を表示し、配達先までの往路及び店舗までの復路に関してルート案内を行う。
車載ナビゲーション装置１には配達業務支援等のソフトウェアがインストールされており、ユーザの要求に基づき、配達先情報の表示や配達先までの往路及び店舗までの復路のルート案内ルートを行うことができる。
なお、配達支援等のソフトウェアは、予めインストールされていてもよい。また、配達管理サーバ３との送受信時に必要に応じて適宜ダウンロードされてもよい。
【００２７】
［携帯無線端末２について］
ナビゲーション装置１の替わりに携帯無線端末２を用いることもできる。携帯無線端末２を用いる場合は、携帯無線端末２を配達員が衣服のポケットに収納したり、又は配達車両Ｂのクレイドルに設置して使用することができる。携帯無線端末２は公衆無線通信接続可能なスマートフォンやタブレット端末、携帯電話、さらには各種ウェアラブル端末を総称している。
図１には、配達車両Ｂの一例として、ピザや寿司の宅配に広く用いられている３輪のオートバイを図示している。携帯無線端末２は、市販の携帯無線端末にソフトウェアをインストールすることで簡易にナビゲーション装置としての機能を実現できる点や配達員が常に携行できる点というメリットがある。
ナビゲーション装置としての機能を実現するためのソフトウェアは、配達管理サーバ３との送受信時に必要に応じて適宜ダウンロードされてもよい。
しかしながら、携帯無線端末２の場合、一般的に画面が小さい点や、配達車両Ｂが携帯無線端末２と通信接続できない場合、配達車両Ｂのエンジン始動やＥＶシステム起動の起動スイッチ（イグニッション・スイッチ）のオン（ＩＧ−ＯＮ）とオフ（ＩＧ−ＯＦＦ）に関する情報、及び速度等の車両情報を取得できない等のデメリットも存在する。
そのため、用途や費用等に応じて、ナビゲーション装置１と携帯無線端末２とを使い分けることが望ましい。
なお、配達車両Ｂ及び携帯無線端末２が、例えばＢｌｕｅｔｏｏｔｈ（登録商標）、赤外線短距離通信等を含む近距離無線通信機構を備える場合、携帯無線端末２は、近距離無線通信を介して配達車両Ｂとの間で接続された状態で、インストールされたアプリケーションにより、配達車両Ｂのエンジン始動やＥＶシステム起動の起動スイッチ（イグニッション・スイッチ）のオン（ＩＧ−ＯＮ）とオフ（ＩＧ−ＯＦＦ）に関する情報、及び速度等の車両情報を取得することが可能なように構成することができる。
【００２８】
［配達管理サーバについて］
配達管理サーバ３はナビゲーション装置１や携帯無線端末２から位置情報や停止ステータス等の種々の情報を、また店舗用端末４から配達先の住所・氏名、注文品目、集金金額、さらに配達期限等が含まれる配達先情報を、それぞれ受信する、
また、配達管理サーバ３は、受信した情報に基づいて、ナビゲーション装置１や携帯無線端末２に対して配達先情報や配達ルートを、さらに、店舗用端末４に対してナビゲーション装置１や携帯無線端末２の位置情報や停車している事由である停車ステータスを送信する。なお、送信内容には、配達が完了した旨の情報や、予定されていた配達時間に対する遅延等、図示していない情報が含まれていても良い。
なお、配達ルートについては、単なる目的地の緯度経度とルート情報だけでなく、周囲の地図や走行禁止路、天候や交通規制に関する情報等、ルート案内に関係する他の情報を含めることも可能である。
【００２９】
本発明の実施形態では、配達管理サーバ３を１つのサーバとして記載するが、配達管理サーバ３の各機能を、適宜複数のサーバに分散する分散処理システムとしてもよい。また、クラウド上で仮想サーバ機能等を利用して、配達管理サーバ３の各機能を実現してもよい。
【００３０】
［店舗用端末について］
店舗用端末４は、店舗に備え付けられたパーソナルコンピュータやタブレット型端末、ＰＯＳレジと呼ばれる専用の販売管理システム、スマートフォン等、種々のコンピュータを示している。
店舗用端末４は、無線通信網を含むネットワーク５を介して、配達管理サーバ３と情報の送受信を行う。具体的には、店舗用端末４から、配達管理サーバ３に対して配達先の住所や氏名、品目、個数、集金金額、さらに配達期限等が含まれる配達先情報が送信される。
逆に、店舗用端末４は、無線通信網を含むネットワーク５を介して、配達管理サーバ３から、各配達車両の位置情報や停車ステータスの情報を含む配達員ステータス情報を受信して、表示画面に表示する。
そうすることで、店舗の管理者は、配達員ステータス情報をもとに、次の配達先への配送計画を作成したり、異常な停車ステータスを示す配達車両の配達員に通信連絡を試みる等の対応を行うことができる。
次にそれぞれの構成について説明する。
【００３１】
＜車載ナビゲーション装置１＞
図２に示すように、車両に搭載される車載ナビゲーション装置１は、少なくとも、制御部１０と、記憶部１１と、無線部１２と、センサ部１３と、表示部１４と、入力部１５とを備える。
【００３２】
制御部１０はマイクロプロセッサ等から構成され、各構成部の制御を行う。詳細については、後述する。
【００３３】
記憶部１１は半導体メモリやハードディスク等で構成されており、オペレーティングシステム（ＯＳ）やルート案内等を含む配達業務支援のための各アプリケーションプログラムを含むソフトウェア、さらにルート案内に用いる道路地図や住宅地図等の地図情報、さらに配達先の顧客情報等、種々の情報が記憶される。
顧客情報には、顧客の住所・氏名の外、駐車場位置、番犬の有無等が含まれる。なお、ソフトウェア、地図情報、顧客情報については、それぞれ記憶部１１に予め記憶しておく構成、又は配達管理サーバ３から取得する構成でも良い。
【００３４】
無線部１２は、ＤＳＰ（Ｄｉｇｉｔａｌ  Ｓｉｇｎａｌ  Ｐｒｏｃｅｓｓｏｒ）等を有し、３ＧやＬＴＥ等の携帯電話網に代表される無線通信網を通じて無線通信を行い、配達管理サーバ３と無線通信を行うことが可能に構成されている。なお、無線部１２は、携帯電話網に代表される無線通信網をサポートするだけでなく、例えばＷｉ−Ｆｉ（Ｗｉｒｅｌｅｓｓ  Ｆｉｄｅｌｉｔｙ）（登録商標）、Ｂｌｕｅｔｏｏｔｈ（登録商標）等の近接無線通信技術を適用可能な、近接無線通信部（図示せず）を含むように構成してもよい。
無線部１２は、配達車両を識別する識別番号（以下、「車両ＩＤ」ともいう）、配達車両の現在位置情報、配達車両の給油情報、及び配達先選択情報等を配達管理サーバ３に送信し、配達先情報、及びルート情報等を配達管理サーバ３から受信することができる。
【００３５】
センサ部１３は、車両に備えられたＧＰＳセンサ、車速センサ、ジャイロセンサ、さらに３軸（前後・左右・上下）加速度センサ等から構成される。センサ部１３は、現在位置を検出する位置検出手段としての機能を備え、ＧＰＳセンサによりＧＰＳ衛星信号を受信し、車両の現在位置（緯度及び経度）を測位する。また、車速センサは回転軸からのパルス信号を基に車両の速度を算出する。ジャイロセンサは角速度を検出する。これらＧＰＳセンサ、車速センサ、ジャイロセンサ、３軸加速度センサ等により、車両の現在位置や向きを正確に算出することが可能となっている。車速センサ、ジャイロセンサ等を備えることにより自律航法によって車両の現在位置を測位することができ、ＧＰＳセンサがＧＰＳ衛星信号から測位できない場合に、これに代わって現在位置を測位することができる。また、ＧＰＳ通信が不可能な場合、ＡＧＰＳ（Ａｓｓｉｓｔｅｄ  Ｇｌｏｂａｌ  Ｐｏｓｉｔｉｏｎｉｎｇ  Ｓｙｓｔｅｍ）通信を利用し、無線部１２から取得される基地局情報によって車両の現在位置を算出することも可能である。
これらのセンサ類は車載ナビゲーション装置の外部、例えば配達車両に備えられていても良く、その場合は、近接無線通信部等を通じて取り込むように構成される。
【００３６】
表示部１４は、液晶ディスプレイ又は有機ＥＬパネル等の表示デバイスにより構成され、制御部１０からの指示を受けて、地図やタッチパネル用の操作ボタンのアイコン等を表示するとともに、配達管理サーバ３から取得した配達先情報、配達車両の現在位置、現在位置周辺及び配達先付近の地図、ルート案内情報等の各種情報を表示することができる。
【００３７】
入力部１５は、テンキーと呼ばれる物理スイッチや表示部１４の表示面に重ねて設けられたタッチパネル等の入力装置（図示せず）等で構成される。入力部１５からの操作入力、例えばユーザによるテンキーの押下、タッチパネルのタッチに基づいた信号を制御部１０に出力することで、配達先選択、給油中情報入力や、工事中、通行止め、迂回情報等の登録、地図の拡大縮小等の操作を行うことができる。
なお、この他、図示しないが、スピーカ１６、マイク１７を備えることができる。スピーカ１６は、配達員に対して音声出力を行い、マイク１７は、配達員によって発せられた音声等を集音する。
そうすることで、情報をスピーカ１６から音声で出力し、マイク１７を介して音声入力された配達員による各種の選択、指示を音声認識技術により、制御部１０に入力することもできる。
【００３８】
制御部１０はＣＰＵ、ＲＡＭ、ＲＯＭ、Ｉ／Ｏ等を有するマイクロプロセッサにより構成される。ＣＰＵは、ＲＯＭ又は記憶部１１から読み出した各プログラムを実行し、その実行の際にはＲＡＭ、ＲＯＭ、及び記憶部１１から情報を読み出し、ＲＡＭ及び記憶部１１に対して情報の書き込みを行い、無線部１２、センサ部１３、表示部１４、及び入力部１５と信号の授受を行う。
【００３９】
制御部１０は、各プログラム（以下、「配達業務支援アプリケーション」とも総称する）を実行することによって、車載ナビゲーション装置１に所定の手段（以下、「配達業務支援部」と総称する）として機能させる。
また、制御部１０は各プログラムを実行することによって、車載ナビゲーション装置１に、所定の手順（以下、「配達業務支援手順」と総称する）を実行させる。
【００４０】
以下、制御部１０の有する機能を配達業務支援部の観点から説明する。なお、配達業務支援手順（方法）の観点に基づく説明は、「部」を「手順」に置き換えることで説明できるため、省略する。
【００４１】
図２に示すように、制御部１０は、接続処理部１０１と、イグニッション情報部１０２と、位置情報通知部１０３と、給油情報通知部１０４と、ルート案内部１０５と、を備える。
【００４２】
＜接続処理部１０１＞
接続処理部１０１は、アカウント（識別情報）及びパスワードを無線部１２を介して配達管理サーバ３に対して送信することで、配達管理サーバ３との間で通信可能な状態に接続する。また、接続処理部１０１は、ログアウトを無線部を介して配達管理サーバ３に対して送信することで、配達管理サーバ３との間の通信接続を終了する。
具体的には、図８に示すログイン画面を介して配達管理サーバ３との間で通信可能な状態に接続する。
【００４３】
＜イグニッション情報部１０２＞
イグニッション情報部１０２は、配達車両のＣＡＮ（Ｃｏｎｔｒｏｌｌｅｒ  Ａｒｅａ  Ｎｅｒｔｗｏｒｋ）情報を取得することで配達車両のエンジン始動やＥＶシステム起動の起動スイッチで（イグニッションスイッチ）からの情報を検知する。当該配達車両のイグニッション情報によって、当該配達車両のエンジンが始動（システムが起動）しているか否かの状態を把握することができる。
【００４４】
＜位置情報通知部１０３＞
位置情報通知部１０３は、定期的に、配達車両ＩＤとセンサ部１３により算出した当該配達車両の現在位置情報、及び計時部（図示せず）から取得した現在時刻情報等を配達管理サーバ３に送信する。なお、送信される情報として、センサ部１３により算出した配達車両の進行方向、また、配達車両の停止情報を含むことができる。
位置情報に、車両の進行方向、車両の停止情報を含めることで、配達管理サーバ３は、車両の位置情報の時系列変化から進行方向又は停止中であることを算出する必要がなくなる。
位置情報通知部１０３は、所定の時間間隔（例えば３秒間隔）で取得する配達車両の現在位置情報及び現在時刻情報等を、その都度リアルタイムに配達管理サーバ３に送信するのではなく、複数個まとめて（例えば５分間分の車両の現在位置情報及び現在時刻情報等をまとめて）、一度に送信（いわゆるバースト送信）することができる。
なお、車両の現在位置情報等の取得時間間隔（例えば、３秒間隔）及び複数個まとめてバースト送信する場合に一度に送信する個数等については、予め設定することができる。
【００４５】
＜給油情報通知部１０４＞
給油情報通知部１０４は、例えば、図８に示すように、表示部１４に「給油中」ボタンを表示して、配達員による当該ボタンのオン操作がなされた場合、無線部１２を介して、当該配達車両の給油情報を配達管理サーバ３に送信する。なお、給油情報の通知はこれに限定されない。給油情報通知部１０４は、入力部１５を介して、当該配達車両の給油情報を配達管理サーバ３に送信するようにしてもよい。
【００４６】
＜ルート案内部１０５＞
ルート案内部１０５は、例えば、図８に示すように、表示部１４に表示される配達先選択画面を介して配達員により選択された配達先情報を配達管理サーバ３に送信することに応答して、配達管理サーバ３から受信する、配達先を目的地とする配達先までの往路情報、及び配達先から店舗までの復路情報を含むルート情報に基づいて、ルート案内を実行する。
なお、図８に示す配達先選択画面を介して、配達員により選択された配達先が選択され、配達管理サーバ３に送信されることを契機として、配達管理サーバ３は、配達員の当該配達に関して、出発時刻（実績）を記録し、配達中のステータスとなる。また、ルート案内にしたがって、店舗に帰着し、ルート案内を終了することを契機に、配達管理サーバ３は、帰着時刻（実績）を記録するとともに、配達完了ステータスを記録する。
ルート案内部１０５は、現在地付近の地図に配達車両位置を重ねあわせて表示部１４に出力するとともに、配達先までのルート案内を行う。このルート案内時には、交通事故、工事中、通行止め、迂回情報や急ブレーキの多発ポイント、をあわせて表示したり、配達目安時間を表示することもできる。
なお、別実施例として、ルート情報を配達管理サーバ３から受信するのに換えて、車載ナビゲーション装置１（例えば、ルート案内部１０５）により算出するようにしてもよい。
【００４７】
以上のようなハードウェア構成は、一般的に用いられているカーナビゲーション装置のハードウェア構成と多くを共通にしており、カーナビゲーション装置に本発明の構成をソフトウェア等によって備えることにより、大きなコストアップを招くこと無く、本発明の機能を実現することも可能となる。
【００４８】
次に、携帯無線端末２について説明する。
＜携帯無線端末２＞
前述したように、携帯無線端末２は公衆無線通信接続可能なスマートフォンやタブレット端末、携帯電話、さらには各種ウェアラブル端末を総称している。携帯無線端末２には各種アプリケーションソフトウェアがインストール可能であり、本実施例の携帯無線端末２は、スマートフォンにインストールされたアプリケーションソフトウェアによって本発明の配達管理システムを実現している。
図３に示すように、携帯無線端末２は、少なくとも、制御部２０と、記憶部２１と、無線部２２と、センサ部２３と、表示部２４と、入力部２５とを備える。
【００４９】
制御部２０はマイクロプロセッサ等から構成され、各構成部の制御を行う。詳細については、後述する。
【００５０】
記憶部２１は半導体メモリ等で構成されており、車載ナビゲーション装置１の記憶部１１と同様に、オペレーティングシステム（ＯＳ）やルート案内等を含む配達業務支援のための各アプリケーションプログラムを含むソフトウェア、さらにルート案内に用いる道路地図や住宅地図等の地図情報、さらに配達先の顧客情報等、種々の情報が記憶される。
【００５１】
無線部２２は、車載ナビゲーション装置１の無線部１２と同様に、ＤＳＰ（Ｄｉｇｉｔａｌ  Ｓｉｇｎａｌ  Ｐｒｏｃｅｓｓｏｒ）等を有し、３ＧやＬＴＥ等の携帯電話網に代表される無線通信網を通じて無線通信を行い、配達管理サーバ３と無線通信を行うことが可能に構成されている。無線部１２は、携帯電話網に代表される無線通信網をサポートするだけでなく、例えばＷｉ−Ｆｉ（Ｗｉｒｅｌｅｓｓ  Ｆｉｄｅｌｉｔｙ）（登録商標）、Ｂｌｕｅｔｏｏｔｈ（登録商標）等の近接無線通信技術を適用可能な、近接無線通信部（図示せず）を含むように構成してもよい。
【００５２】
センサ部２３にはＧＰＳセンサやジャイロセンサによって携帯無線端末２自身が現在位置を把握することが可能となっている。なお現在位置は、無線部１２から取得される無線通信網の基地局情報によって算出することも可能である。なお、携帯無線端末２のセンサ部には車速センサを備えないため、車両の走行速度を直接測定することはできない。しかし、車両の走行速度はＧＰＳセンサによって取得した位置情報の時系列変化から算出することが可能である。
【００５３】
表示部２４は、車載ナビゲーション装置１の表示部１４と同様に、液晶ディスプレイ又は有機ＥＬパネル等の表示デバイスにより構成され、制御部２０からの指示を受けて地図やタッチパネル用の操作ボタンのアイコン等を表示するとともに、配達管理サーバ３から取得した配達先情報、配達車両の現在位置、現在位置周辺及び配達先付近の地図、ルート案内情報等の各種情報を表示することができる。
【００５４】
入力部２５は、車載ナビゲーション装置１の入力部１５と同様に、テンキーと呼ばれる物理スイッチや表示部１４の表示面に重ねて設けられたタッチパネル等の入力装置（図示せず）等で構成される。入力部２５からの操作入力、例えばユーザによるテンキーの押下、タッチパネルのタッチに基づいた信号を制御部２０に出力することで、配達先選択、給油中情報入力や、工事中、通行止め、迂回情報等の登録、地図の拡大縮小等の操作を行うことができる。
なお、この他、図示しないが、スピーカ、マイクを備えることができる。スピーカは、配達員に対して音声出力を行い、マイクは、配達員によって発せられた音声等を集音する。
そうすることで、情報をスピーカから音声で出力し、マイクを介して音声入力された配達員による各種の選択、指示を音声認識技術により、制御部２０に入力することもできる。
【００５５】
制御部２０は車載ナビゲーション装置１の制御部１０と同様に、ＣＰＵ、ＲＡＭ、ＲＯＭ、Ｉ／Ｏ等を有するマイクロプロセッサにより構成される。ＣＰＵは、ＲＯＭ又は記憶部２１から読み出した各プログラムを実行し、その実行の際にはＲＡＭ、ＲＯＭ、及び記憶部２１から情報を読み出し、ＲＡＭ及び記憶部２１に対して情報の書き込みを行い、無線部２２、センサ部２３、表示部２４、及び入力部２５と信号の授受を行う。
【００５６】
制御部２０は、車載ナビゲーション装置１と同様に、ルート案内等を含む配達業務支援のための各アプリケーションプログラムを実行することによって、携帯無線端末２に所定の手段（「配達業務支援部」）として機能させる。
また、制御部２０は各プログラムを実行することによって、携帯無線端末２に、所定の手順（以下、「配達業務支援手順」と総称する）を実行させる。
以下、制御部２０の有する機能を配達業務支援部の観点から説明する。なお、配達業務支援手順（方法）の観点に基づく説明は、「部」を「手順」に置き換えることで説明できるため、省略する。
【００５７】
図３に示すように、制御部２０は、接続処理部２０１と、位置情報通知部２０３と、給油情報通知部２０４と、ルート案内部２０５と、を備える。これらの機能は、車載ナビゲーション装置１のそれと同等である。
【００５８】
＜接続処理部２０１＞
接続処理部２０１は、アカウント（識別情報）及びパスワードを無線部２２を介して配達管理サーバ３に対して送信することで、配達管理サーバ３との間で通信可能な状態に接続する。また、接続処理部２０１は、ログアウトを無線部を介して配達管理サーバ３に対して送信することで、配達管理サーバ３との間の通信接続を終了する。
【００５９】
＜位置情報通知部２０３＞
位置情報通知部２０３は、定期的に、センサ部２３により取得した携帯無線端末機２の現在位置情報、及び計時部（図示せず）から取得した現在時刻情報等を配達管理サーバ３に送信する。
位置情報通知部２０３は、所定の時間間隔（例えば３秒間隔）で取得する携帯無線端末機２の現在位置情報及び現在時刻情報等を、その都度リアルタイムに配達管理サーバ３に送信するのではなく、複数個まとめて（例えば５分間分の携帯無線端末機２の現在位置情報及び現在時刻情報等をまとめて）、一度に送信（いわゆるバースト送信）することができる。
なお、携帯無線端末機２の現在位置情報等の取得時間間隔（例えば、３秒間隔）及び複数個まとめてバースト送信する場合の一度に送信する個数等については、予め設定することができる。
【００６０】
＜給油情報通知部２０４及びルート案内部２０５＞
給油情報通知部２０４及びルート案内部２０５の機能は、それぞれ車載ナビゲーション装置１の給油情報通知部１０４及びルート案内部１０５の機能と同等であり、説明を省略する。
以上のように、携帯無線端末２の構成の多くは車載ナビゲーション装置１の構成と共通の機能を備える。
【００６１】
次に、配達管理サーバ３について説明する。
本実施例では種々の機能を備えた１つのサーバとして説明するが、機能毎に別のサーバから構成される分散サーバであっても良く、またクラウドサーバと呼ばれる分散型の（仮想サーバを含む）サーバで実現されても良い。
＜配達管理サーバ３＞
図４に示すように、配達管理サーバ３は、少なくとも、制御部３０と、記憶部３１と、通信部３２とを、さらに必要に応じて表示部３４と、入力部３５を備えてもよい。
【００６２】
制御部３０はＣＰＵ、ＲＡＭ、ＲＯＭ、Ｉ／Ｏ等を有するプロセッサにより構成され、各構成部の制御を行う。ＣＰＵは、ＲＡＭ、ＲＯＭ又は記憶部３１から読み出したナビゲーションのための各プログラムを実行し、その実行の際にはＲＡＭ、ＲＯＭ、及び記憶部３１から情報を読み出し、ＲＡＭ及び記憶部３１に対して情報の書き込みを行い、通信部３２と信号の授受を行う。
詳細については、後述する。
【００６３】
記憶部３１は半導体メモリやハードディスクドライブ等で構成されており、オペレーティングシステム（ＯＳ）やアプリケーションと呼ばれるソフトウェアが保存される等、種々の情報が記憶される。このため、記憶部３１には、配達員情報エリア３１１、配達車両情報エリア３１２、配達先情報エリア３１３、ルート案内エリア３１４、配達管理情報エリア３１５、履歴情報エリア３１６といった、様々な記憶エリアが確保されている。
【００６４】
記憶部３１の配達員情報エリア３１１には、配達員の識別情報である従業員ＩＤ（「配達員ＩＤ」ともいう）毎に、当該配達員に関する基本的な情報、例えば、配達員の氏名、従業員ＩＤ、所属先店舗ＩＤ、勤務可能時間等を管理する配達員情報ファイル３１１１が記憶されている。
また、配達員情報エリア３１１には、配達員ＩＤ毎に、１日の配達総時間、接客に要した時間、車両停止時間等がこれまでの日にち毎に記憶されている。これらの情報は、ナビゲーション装置１や携帯無線端末２から受信した情報を基に算出されて記憶される。
また、本実施形態においては、予め、配達員毎に配達車両を紐付けているものとする。具体的には、配達員情報ファイル３１１１には、配達員ＩＤに対して配達車両の識別情報である車両ＩＤを対応付けて記憶されているものとする。
なお、配達員ＩＤに対する配達車両の識別情報である車両ＩＤの対応付けについては、例えば１日の配達管理業務の開始に先立ち、店舗管理者により、予め設定されるようにしてもよい。
【００６５】
記憶部３１の配達車両情報エリア３１２には、配達車両の識別情報である車両ＩＤ毎に、当該配達車両に関する走行距離に関する情報、例えば、当該配達車両の単位燃料あたりの走行可能距離である予測燃費（又は予測電費）、直近に当該配達車両に給油されてから走行した距離（具体的には、給油先から店舗に帰還するまでの距離とこれまでに配達完了となっている配達に要した走行距離の合計）、及び残りの走行可能距離等が記憶される。
これらの情報は、ナビゲーション装置１や携帯無線端末２から受信した情報を基に算出されて記憶される。
【００６６】
記憶部３１の配達先情報エリア３１３には、店舗用端末４から受信した配達先の住所・氏名、品目、集金金額、さらに配達期限等を含む配達先情報が記憶される。また、配達先情報には、ジオフェンス情報も含まれる。ジオフェンス情報とは、配達先住所を含むエリア指定情報であり、配達車両を駐車する場所や配達先の家屋が全て含まれる範囲に設定される。
【００６７】
記憶部３１のルート案内エリア３１４には、ナビゲーションのための地図情報が予め格納されている。地図情報には、道路リンク情報、道路及び道路地図等の背景を表示するための表示用地図データ、ノード（例えば道路の交差点、屈曲点、端点等）の位置情報及びその種別情報、各ノード間を結ぶ経路であるリンクの位置情報及びその種別情報、全てのリンクのコスト情報（例えば距離、所要時間等）に関するリンクコストデータ等を含む道路ネットワークデータ等が含まれる。
また、ルート案内エリア３１４には、施設の識別情報（以下「施設ＩＤ」ともいう）、名称、カテゴリー、電話番号、住所、緯度経度等で特定される位置情報、商品役務等に関する施設情報等を含む属性情報が記憶されている。
また、ルート案内エリア３１４には、道路上に存在する運転に注意を要する交通事故、工事中、通行止め、迂回情報や急ブレーキの多発ポイント等の対象物情報が保存されている。また、交通情報センタ等から受信する交通情報が当該交通情報を受信した記録時刻とともに記憶される。交通情報には、例えばリンク毎の走行車両数、走行所要時間、渋滞情報、交通規制情報、天候情報等の移動コストを左右する要素が含まれる。
【００６８】
記憶部３１の配達管理情報エリア３１５には、配達員の配達業務（注文された品物の配達状況）を管理するための配達管理データレコードが記録される。配達管理データレコードには、配達員の配達員ＩＤ、配達に使用される配達車両の車両ＩＤ、割り当てられた配達先情報（１つ又は複数）、出発予定時刻、出発時刻（実績）、配達予定時刻、配達時刻（実績）、帰着予定時刻、帰着時刻（実績）、停車経過時間、当該配達員の配達状況を表す配達ステータス情報等が格納される。
なお、配達先が複数ある場合、配達予定時刻、配達時刻（実績）は、それぞれ配達先毎に記録される。
配達ステータス情報としては、例えば、待機中（割り当てられた配達先がない状態）、未配達（配達先が割り当てられているが店舗にいる状態）、停止中（店舗を出ているが、配達車両が道路上で一定時間停止している状態）、接客中（配達車両が配達先で一定時間停止している状態）、配達中（店舗を出ているが、全ての配達を完了していない状態）、帰還中（全ての配達を完了し、店舗に帰還している状態）、給油中（配達先が割当てられているか否かに関わらず、配達車両に給油している状態）、異常停止中（店舗を出て、配達車両が、道路上又は接客中に関係なく、所定時間以上停止している状態）、ログアウト（配達管理システムにログインしていない状態）の情報が記録される。
これらの情報は、ナビゲーション装置１や携帯無線端末２、及び店舗用端末４から受信した情報を基に作成更新されて記憶される。
【００６９】
記憶部３１の履歴情報エリア３１６には、配達の完了した配達管理データを履歴情報として記憶する。履歴情報は、例えば管理者により、店舗用端末４から検索照会するよう構成される。
【００７０】
通信部３２は、車載ナビゲーション装置１及び携帯無線端末２との送受信の場合には、例えば、３Ｇ及びＬＴＥ等の無線通信をすることができる通信プロトコルを実装する。また、通信部３２は、店舗用端末４との送受信の場合に、有線通信（例えば、インターネット回線等）又は無線通信することができる通信プロトコルを実装する。
【００７１】
制御部３０は配達管理のための各プログラムを実行することによって、配達管理サーバ３に所定の手段（以下、「配達管理制御部」と総称する）として機能させる。
また、制御部３０は配達管理のための各プログラムを実行することによって、配達管理サーバ３に、所定のステップ（以下、「配達管理制御ステップ」と総称する）を実行させる。
【００７２】
以下、制御部３０の有する機能を配達管理制御部の観点から説明する。なお、配達管理制御ステップ（方法）の観点に基づく説明は、「部」を「ステップ」に置き換えることで説明できるため、省略する。
【００７３】
図４に示すように、制御部３０は、接続処理部３０１と、受信部３０２と、送信部３０３と、配達先情報登録部３０４と、ジオフェンス設定部３０５と、配達管理データ生成部３０６と、配達先割当部３０７と、ルート設定部３０８と、ルート通知部３０９と、ステータス判定部３０Ａと、履歴データ作成部３０Ｂと、配達管理情報作成部３０Ｃと、統計情報作成部３１Ｄと、配達管理／統計情報提供部３０Ｅと、を備える。
【００７４】
＜接続処理部３０１＞
接続処理部３０１は、車載ナビゲーション装置１又は携帯無線端末２からのログイン処理を実行して、車載ナビゲーション装置１又は携帯無線端末２と接続処理を行う。また、接続処理部３０１は、車載ナビゲーション装置１又は携帯無線端末２からのログアウト処理を実行して、車載ナビゲーション装置１又は携帯無線端末２との接続を終了する。
また、接続処理部３０１は、店舗用端末４からのログイン処理を実行して、店舗用端末４と接続処理を行う。また、接続処理部３０１は、店舗用端末４からのログアウト処理を実行して、店舗用端末４との接続を終了する。
【００７５】
＜受信部３０２＞
受信部３０２は、車載ナビゲーション装置１又は携帯無線端末２から配達管理サーバ３あてに送信されるデータ、及び店舗用端末４から配達管理サーバ３あてに送信されるデータを通信部３２を介して受信する。
【００７６】
＜送信部３０３＞
送信部３０３は、配達管理サーバ３から車載ナビゲーション装置１又は携帯無線端末２あてに送信するデータ、及び店舗用端末４あてに送信するデータを通信部３２を介して送信する。
【００７７】
＜配達先情報登録部３０４＞
配達先情報登録部３０４は、店舗用端末４から受信した配達先の配達エリア、住所や氏名、注文品目、集金金額、さらに配達期限等を含む配達先情報に基づいて、配達先情報エリア３１３に配達先データレコードを新規に作成登録する。なお、配達先情報は、前述したように、駐車場位置、番犬の有無を含むことができる。
【００７８】
＜ジオフェンス設定部３０５＞
ジオフェンス設定部３０５は、配達先情報登録部３０４により登録された配達先情報に基づいて、配達先住所を含むエリア指定情報であり、配達車両を駐車する場所及び配達先の家屋が全て含まれる、配達先の緯度経度を含むエリアを示すジオフェンス情報（配達先エリア）を設定する。
より具体的には、ジオフェンス設定部３０５は、配達先の緯度経度から所定の半径の範囲内のエリアを配達先のジオフェンス情報として設定する。
【００７９】
＜配達管理データ生成部３０６＞
配達管理データ生成部３０６は、配達先情報に基づいて、配達員の配達業務（注文された品物の配達状況）を管理するための配達員をキーとする配達管理データレコード（初期化されたレコード）を記憶部３１の配達管理情報エリア３１５に生成する。なお、配達管理データレコード（初期化されたレコード）生成時において、まだ割り当てられていない項目（例えば、情報配達員ＩＤ、配達車両ＩＤ、配達予定時刻、配達時刻（実績）、帰着予定時刻、帰着時刻（実績）、停車経過時間、当該配達員の配達状況を表す配達ステータス情報等）には、Ｎｕｌｌ値を含む初期値を設定するようにしてもよい、
【００８０】
＜配達先割当部３０７＞
配達先割当部３０７は、配達先情報登録部３０４により登録された配達先情報及び配達車両情報エリア３１２に記憶された配達車両に関する走行距離に関する情報（当該配達車両の燃料単位あたりの走行可能距離である予測燃費（又は予測電費）、直近に当該配達車両に給油されて以降の、配達完了となっている配達に要した走行距離、残りの走行可能距離）に基づいて、当該配達先に配達車両を割り当てる。
具体的には、配達先割当部３０７は、残りの走行可能距離が長い配達車両に対しては長いルートが必要な配達先を、残りの走行距離が短い配達車両に対しては、短いルートの配達先を割り当てる。又は、配達先割当部３０７は、残りの走行可能距離が長い配達車両に対してはルート近辺に給油や充電施設が存在しない配達先を割り当てる。また、残りの走行距離が短い配達車両に対しては、ルート近辺に給油や充電施設が存在する配達先を割り当てるようにすることができる。
そうすることで、配達車両に特別な仕組みを導入することなく、燃料（ガソリン、電気）の残容量を踏まえた配達計画の作成を可能とし、配達車両の停止時間を少なくするように、配達業務効率を高めることが可能となる。
配達先割当部３０７による配達先への配達車両の割当てに伴い、当該配達車両に紐付けられている配達員が当該配達先に自動的に割り当てられる。
配達先割当部３０７は、複数の配達先をまとめて同一の配達車両（配達員）に割当てることで、一回の配達で当該複数の配達先を廻ってそれぞれの注文された品物を配達する一括配達として割当てることができる。
配達先割当部３０７は、配達先情報（１つ又は複数）に割り当てられた配達員の配達員ＩＤ、配達に使用される配達車両の車両ＩＤを該当する配達管理データレコードに記録する。なお、複数の配達先をまとめて一括配達とする場合、例えば、一括調達対象となる配達管理レコードを紐づけて、グループ化するように構成することができる。また、配達管理データレコードに配達先情報を繰り返し項目として記録するようにしてもよい。
配達先割当部３０７は、配達先情報を、割り当てられた配達員の車載ナビゲーション装置１又は携帯無線端末２に送信する。
【００８１】
＜ルート設定部３０８＞
ルート設定部３０８は、配達先を目的地とする配達先までの往路情報、及び配達先から店舗までの復路情報を含むルート情報を算出する。なお、配達先割当部３０７により複数の配達先を一括配達として割り当てた場合、ルート設定部３０８は、複数の配達先を経由するルート情報を設定する。
ルート情報の算出に際しては、記憶部３１のルート案内エリア３１４に記憶されている道路上に存在する運転に注意を要する交通事故、工事中、通行止め、迂回情報や急ブレーキの多発ポイント等の対象物情報の各種情報を加味したうえで最適なルートを算出する。
また、ルート設定部３０８は、配送先情報の配達期限等に基づいて、出発予定時刻、配達予定時刻、帰着予定時刻を算出し、該当する配達管理データレコードに記録する。
【００８２】
＜ルート通知部３０９＞
ルート通知部３０９は、例えば、図８に示したように、車載ナビゲーション装置（又は携帯無線端末２）の表示部１４に表示される配達先選択画面を介して配達員により選択された配達先情報を受信した場合、ルート設定部３０８により算出されたルート情報を通信部３２を介して、車載ナビゲーション装置１（又は携帯無線端末２）に送信する。
【００８３】
＜ステータス判定部３０Ａ＞
ステータス判定部３０Ａは、配達員の配達ステータスを管理するために、配達員（配達車両）のステータス情報を判定し、配達管理データレコードを更新する。具体的には、ステータス判定部３０Ａは、割り当てられた配達先情報（１つ又は複数）に関して、当該配達員の配達状況を表す配達ステータス情報、及びステータス情報に関連する出発時刻（実績）、配達時刻（実績）、帰着時刻（実績）、停車経過時間、を更新する。
具体的には、ステータス判定部３０Ａは、次のように配達ステータスを判定する。なお、図６にステータス情報一覧を、図７にステータス情報の判定フローを示す。
【００８４】
［ログアウトステータス］
ステータス判定部３０Ａは、配達員が車載ナビゲーション装置１（又は携帯無線端末機２）を介して配達管理サーバ３に接続状態でない場合、ステータス情報を「ログアウト」と判定する。
【００８５】
［給油中ステータス］
ステータス判定部３０Ａは、車載ナビゲーション装置１（又は携帯無線端末機２）から給油情報を受信した場合、ステータス情報を「給油中」と判定する。なお、「給油中」のステータスは、他のステータス情報全てに優先して記録される。
なお、給油中ステータスであった場合、配達車両の状態が予め設定されるい給油解除条件を満たす場合、ステータス判定部は、給油中ステータスを解除し、「給油中」ステータスの直前のステータスに戻ったと判定する。
例えば、給油中ステータスの直前が帰還中であった場合、帰還中ステータスに戻ったと判定する。
給油解除条件としては、車載ナビゲーション装置１（又は携帯無線端末機２）から受信する現在位置情報の示す位置が時系列的に変化することを検知した場合が挙げられる。
また、車載ナビゲーション装置１（又は携帯無線端末機２）から、配達車両のエンジン始動やＥＶシステム起動の起動スイッチ（イグニッションスイッチ）がオンになったことを受信した場合が挙げられる。
ステータス判定部３０Ａは、給油中ステータスと判定した時点の当該配達車両の位置情報及びその時刻（給油時刻）と給油中ステータスが解除された時刻（給油解除時刻）を配達管理データレコードに記録するように構成することができる。
【００８６】
［待機中ステータス］
ステータス判定部３０Ａは、当該配達員（配達車両）に対して、割り当てられた配達先情報がない場合、ステータス情報を「待機中」と判定する。
【００８７】
［未配達ステータス］
ステータス判定部３０Ａは、当該配達員（配達車両）に対して、配達先情報が割り当てられている場合であって、配達員が車載ナビゲーション装置１（又は携帯無線端末２）を介して配達先を選択していない場合、ステータス情報を「未配達」と判定する。
【００８８】
［配達中ステータス］
ステータス判定部３０Ａは、ルート通知部３０９により車載ナビゲーション装置１（又は携帯無線端末２）に送信する場合、ステータス情報を「配達中」と判定するとともに、配達先を選択してルート案内を開始させた時刻を出発時刻（実績）と判定する。
また、ステータス判定部３０Ａは、図８に示すように、車載ナビゲーション装置１（又は携帯無線端末２）の表示部１４（又は表示部２４）に配達先を表示して、配達員により配達先の選択がなされ、ＯＫボタンがタップされた場合に、ステータス情報を「配達中」と判定するとともに、配達先を選択してＯＫボタンがタップされた時刻を出発時刻（実績）と判定するように構成してもよい。
【００８９】
［接客中ステータス］
ステータス判定部３０Ａは、車載ナビゲーション装置１（又は携帯無線端末機２）から受信する現在位置情報の示す位置がジオフェンス設定部により設定されたジオフェンス情報の示すエリアの内部に、予め設定された第１の時間範囲、停止している場合、ステータス情報を「接客中」と判定するとともに、停止している当該時刻を配達時刻（実績）と判定する。
なお、ステータス判定部３０Ａは、接客中ステータスと判定した位置情報とその時刻及び接客中ステータスが解除された時刻を配達管理データレコードに記録するように構成することができる。
接客中ステータスの解除は、例えば、給油解除条件と同様の条件が成立した場合に行うように構成することができる。
また、ステータス判定部３０Ａは、車載ナビゲーション装置１（又は携帯無線端末２）の位置情報が、配達先エリアの範囲内に入ったことが測位された場合に、当該配達車両が「接客中」と判定するとともに、配達先エリアの範囲内に入ったと判定された時刻を配達先到着時刻（実績）にするように構成してもよい。
【００９０】
［停止中ステータス］
ステータス判定部３０Ａは、車載ナビゲーション装置１（又は携帯無線端末機２）から受信する現在位置情報の示す位置が予め設定された第１の時間範囲、ジオフェンス設定部３０５により設定されたジオフェンス情報の示すエリアの内部ではない同一の場所に停止している場合、ステータス情報を「停止中」と判定するとともに、停止している当該時間を停車経過時間に加算する。
なお、ステータス判定部３０Ａは、停止中ステータスと判定した位置情報とその時刻及び停止中ステータスが解除された時刻（すなわち、位置情報が時系列的に動くようになった時刻）を配達管理データレコードに記録するように構成することができる。
【００９１】
［異常停止ステータス］
ステータス判定部３０Ａは、車載ナビゲーション装置１（又は携帯無線端末機２）から受信する現在位置情報の示す位置が予め設定された第２の時間以上、同一の場所に停止している場合、ステータス情報を「異常停止」と判定するとともに、停止している当該時間を停車経過時間に加算する。なお、図７に示す判定フローにおいて、１５分以上停止している場合に「異常停止」と判定しているが、この値は一例であって、第２の時間がこの値に限定されるものではない。
なお、ステータス判定部３０Ａは、異常停止ステータスと判定した位置情報とその時刻及び異常停止ステータスが解除された時刻（すなわち、位置情報が時系列的に動くようになった時間）を配達管理データレコードに記録するように構成することができる。
【００９２】
［帰還中ステータス］
ステータス判定部３０Ａは、全ての配達が完了した状態で、車載ナビゲーション装置１（又は携帯無線端末機２）から受信する現在位置情報の示す位置が時系列的に変化している場合（すなわち、「停止中」と判定しない場合）ステータス情報を「帰還中」と判定する。
また、ステータス判定部３０Ａは、車載ナビゲーション装置１（又は携帯無線端末２）の位置情報が、配達先エリアの範囲外において所定回数（例えば２回）測位された場合に、当該配達車両が当該配達先エリアから出たと判定するように構成することができる。なお、２回は一例であって、これに限定されない。
この場合、ステータス判定部３０Ａは、次の配達先が残っている場合には、ステータス情報を「配達中」と判定し、全ての配達が終了している場合、ステータス情報を「帰還中」と判定するように構成してもよい。
【００９３】
［帰着時刻（実績）］
ステータス判定部３０Ａは、車載ナビゲーション装置１（又は携帯無線端末機２）から受信する現在位置情報の示す位置が予め設定される店舗のジオフェンス情報の示すエリア（店舗エリア）の内部に、予め設定された第１の時間範囲、停止している場合、ステータス情報を「完了」と判定するとともに、停止している当該時刻を帰着時刻（実績）と判定する。
また、ステータス判定部３０Ａは、車載ナビゲーション装置１（又は携帯無線端末２）の位置情報が、店舗エリアの範囲内に入ったことが測位された場合に、当該配達車両が店舗に帰着したと判定するとともに、店舗エリアの範囲内に入ったと判定された時刻を帰着時刻（実績）にするように構成することができる。
この場合、ステータス判定部３０Ａは、次の配達が割り当てられている場合には、ステータス情報を「未配達」とし、配達が割り当てられていない場合、ステータス情報を「待機中」と判定するように構成してもよい。
以上、ステータス情報の判定処理の内容について説明した。
上記ステータス情報の判定処理に係るフローチャートの一例を図７に示す。図７のフローチャートにおいて、１５分以上停止している場合、異常停止ステータスと判断しているが、それに限定されない。交通渋滞の時間帯、及び過去の経験等を加味して、任意に設定するようにしてもよい。
以上、配達ステータスの判定処理内容について説明した。
【００９４】
＜履歴データ作成部３０Ｂ＞
履歴データ作成部３０Ｂは、ステータス情報が「完了」とされた配達管理データレコードを履歴情報エリア３１６に履歴情報として格納する。その際、「完了」とされた配達管理データレコードを配達管理情報エリア３１５から削除するようにしてもよい。また、予め設定された期間経過後に「完了」とされた配達管理データレコードを配達管理情報エリア３１５から削除するようにしてもよい。
また、履歴データ作成部３０Ｂは、当該配達車両の配達に要した走行距離を算出し、配達車両情報エリア３１２に、当該配達車両に関する走行距離に関する情報、例えば、当該配達車両の燃料単位あたりの走行可能距離である予測燃費（又は予測電費）、直近に当該配達車両に給油されて以降の、配達完了となっている配達に要した走行距離、残りの走行可能距離等を記憶する。
【００９５】
＜配達管理情報作成部３０Ｃ＞
店舗用端末４からの要求に基づいて、配達管理データを検索することで、配達員全員のステータス情報一覧、及び未完了業務一覧を含む配達管理情報を作成する。図９Ｂ乃至図９Ｄに配達管理情報作成部３０Ｃの作成する配達員全員のステータス情報一覧情報の一例を示す。また、図９Ｅに配達管理情報作成部３０Ｃの作成する未完了業務一覧の一例を示す。
また、店舗用端末４からの要求に基づいて、履歴データを検索することで、配達履歴情報一覧を作成する。図９Ｆに配達管理情報作成部３０Ｃの作成する過去１か月の配達履歴情報の一例を示す。
【００９６】
＜統計情報作成部３１Ｄ＞
統計情報作成部３１Ｄは、履歴データに基づいて、配達員ＩＤ毎（配達車両ＩＤ毎））に、平均移動距離、平均配達先滞在時間、配達時間に対する停止時間の割合等を算出して、記憶部３の配達員情報エリア３１１に、配達員ＩＤ毎（配達車両ＩＤ毎）に記憶することができる。図９Ｇに、統計情報作成部３１Ｄの作成する統計情報（配達時間に対する停止時間の割合）の一例を示す。
【００９７】
＜配達管理／統計情報提供部３０Ｅ＞
配達管理／統計情報提供部提供部３１２は、配達管理情報作成部３０Ｃにより作成した配達管理情報及び統計情報作成部３１Ｄにより作成した各種統計情報を、車載ナビゲーション装置１（又は携帯無線端末２）からの要求に基づいて、通信部３２を介して車載ナビゲーション装置１（又は携帯無線端末２）に対して送信する。
以上のように、配達管理サーバの制御部３０は構成される。
【００９８】
＜店舗用端末４＞
次に、店舗用端末４について概説する。
図５に示すように、店舗用端末４は、少なくとも、制御部４０と、記憶部４１と、通信部４２と、表示部４４と、入力部４５とを備える。
【００９９】
制御部４０はＣＰＵ、ＲＡＭ、ＲＯＭ、Ｉ／Ｏ等を有するプロセッサにより構成され、各構成部の制御を行う。ＣＰＵは、ＲＡＭ、ＲＯＭ又は記憶部４１から読み出した配達管理のための各プログラムを実行し、その実行の際にはＲＡＭ、ＲＯＭ、及び記憶部４１から情報を読み出し、ＲＡＭ及び記憶部４１に対して情報の書き込みを行い、通信部４２と信号の授受を行う。
詳細については、後述する。
【０１００】
記憶部４１は半導体メモリやハードディスクドライブ等で構成されており、オペレーティングシステム（ＯＳ）やアプリケーションと呼ばれるソフトウェアが保存される等、種々の情報が記憶される。
【０１０１】
通信部４２は、有線通信（例えば、インターネット回線等）又は３Ｇ及びＬＴＥ等の無線通信をすることができる通信プロトコルを実装し、配達管理サーバ３と接続して送受信する。
【０１０２】
表示部４４は、液晶ディスプレイ又は有機ＥＬパネル等の表示デバイスにより構成され、制御部４０からの指示を受けて、地図やタッチパネル用の操作ボタンのアイコン等を表示するとともに、配達管理サーバ３から取得した配達先情報、配達車両の現在位置、現在位置周辺及び配達先付近の地図等の各種情報を表示することができる。
【０１０３】
入力部４５は、テンキーと呼ばれる物理スイッチや表示部４４の表示面に重ねて設けられたタッチパネル等の入力装置（図示せず）等で構成される。
【０１０４】
制御部４０は各プログラムを実行することによって、店舗用端末４に所定の手段（以下、「配達管理支援制御部」と総称する）として機能させる。
また、制御部４０は配達管理支援制御のための各プログラムを実行することによって、店舗用端末４に、所定のステップ（以下、「配達管理支援制御ステップ」と総称する）を実行させる。
【０１０５】
以下、制御部４０の有する機能を配達管理支援制御部の観点から説明する。なお、配達管理支援制御ステップ（方法）の観点に基づく説明は、「部」を「ステップ」に置き換えることで説明できるため、省略する。
【０１０６】
図５に示すように、制御部４０は、接続処理部４０１と、配達先情報入力部４０２と、配達管理／統計情報照会部４０３と、を備える。
【０１０７】
＜接続処理部４０１＞
接続処理部４０１は、例えば、店舗（責任者）を識別する識別番号（店舗責任者ＩＤ）及びパスワードを用いて、配達管理サーバ３に対してログイン処理を実行する。
【０１０８】
＜配達先情報入力部４０２＞
配達先情報入力部４０２は、注文を受け付けて、注文された品物を配達車両を用いて注文主により指定された場所及び時間帯に配達するための配達先情報を通信部４２を介して配達管理サーバ３に送信する。
配達先情報は、入力部４５を介して入力され、配達先の配達エリア、配達先の住所氏名、注文品目、集金金額、さらに配達期限等を含む。
図９Ｃに配達先情報入力部４０２による入力される配達先情報の一例を示す。
【０１０９】
＜配達管理／統計情報照会部４０３＞
配達管理／統計情報照会部４０３は、配達管理サーバから受信した配達管理情報を、それぞれ所定の表示制御を行うことにより、店舗（責任者）における配達計画作成に有用な、マップ画面、配達員ステータス一覧、未完了業務一覧、配達履歴、統計情報を表示する。
［マップ画面］
配達管理／統計情報照会部４０３は、配達管理サーバから受信した、その時間における、配達員（配達車両）の配達状態を地図画面上に店舗、配達員、目的地、予定ルート等をオーバーラップさせた配達管理状況データを店舗用端末４の表示部４４に表示させる。
図９Ｂにその一例を示す。図９Ｂに示すように、例えば、画面左側に複数の配達員の簡易なステータス一覧を表示し、画面右側の地図画面上に店舗、選択された配達員に割り当てられた配達先情報を表示する。
【０１１０】
［配達員ステータス一覧照会］
配達管理／統計情報照会部４０３は、配達管理サーバから受信した、その時間における配達員（配達車両）のステータスを店舗用端末４の表示部４４に表示させる。
図９Ｄにその一例を示す。図９Ｄに示すように、例えば、配達員の簡易なステータス一覧、及び配達先を表示する。
【０１１１】
［未完了業務一覧照会］
配達管理／統計情報照会部４０３は、配達管理サーバから受信した、その時間における配達ステータスが、「完了」（配達が全て完了し、店舗に帰着が完了した配達業務）以外の配達管理データにおける、配達員名、配達ステータス、出発予定時刻、出発時刻（実績）、配達予定時刻、配達時刻（実績）、帰着予定時刻、帰着時刻（実績）、配達先等のデータの一覧を店舗用端末４の表示部４４に表示させる。
図９Ｅにその一例を示す。
なお、配達員が当該配達に割り当てられていない場合、配達員の欄には、例えば配達員が割り当てられていないことを示す「−」を表示させる。
【０１１２】
［配達履歴照会］
配達管理／統計情報照会部４０３は、配達管理サーバから受信した、例えば配達日を指定した配達履歴情報（配達員、配達日、出発時刻、到着時刻、停車／経過時間、配達先）を受信して、店舗用端末４の表示部４４に表示させる。
図９Ｆにその一例を示す。図９Ｆは、過去１か月の配達履歴情報の一例を示す。
【０１１３】
［統計情報照会］
配達管理／統計情報照会部４０３は、配達管理サーバから受信した、例えば配達日を指定した統計情報を受信して、店舗用端末４の表示部４４に表示させる。
統計情報としては、例えば、配達員毎の平均配達先滞在時間、又は配達員毎の平均移動距離配達日からなる統計情報を店舗用端末４の表示部４４に表示させる。
図９Ｇにその一例を示す。図９Ｇは、配達員毎の配達時間に対する停止時間の割合を示す統計情報の一例を示す。
【０１１４】
以上、本発明の配達管理システム１００の各機能部の実施形態を、車両に搭載される車載ナビゲーション装置１、携帯無線端末２、配達管理サーバ３、及び店舗用端末４の構成に基づいて説明した。しかしながら、本発明の配達管理システムの備える各機能部の実施形態は、１台のコンピュータでも、１箇所にある又は数箇所に分散され、通信ネットワークによって相互接続された多数のコンピュータでも分散して実行するように展開できる。また、クラウド上の複数の仮想コンピュータを用いて構成することもできる。
【０１１５】
例えば、配達管理サーバ３を複数のコンピュータにより分散処理する場合に、配達管理サーバ３の備える各機能は、どのコンピュータでも実行することが可能である。したがって、配達管理サーバ３の備える各機能をどのコンピュータに割り振るか、については、当業者が適宜設計できる。
【０１１６】
（配達管理システム１００の処理）
以上、配達管理システム１００の構成について説明した。続いて、配達管理システム１００の具体的な処理内容について、主要な入出力画面の画面遷移に基づいて説明する。図８は、この処理に伴い車載ナビゲーション装置１又は携帯無線端末２に表示される配達業務支援処理画面の表示例である。図９Ａ〜図９Ｅは、この処理に伴い店舗用端末４に表示される配達管理画面の表示例である。
【０１１７】
＜配達業務支援処理について＞
始めに、図８を参照して、車載ナビゲーション装置１（又は携帯無線端末２）における配達業務支援処理の一例について説明する。
ログイン画面（Ａ）から、配達員のアカウント及びパスワードを入力して、ＬＯＧＩＮボタンがタップされると、配達管理サーバ３は当該車載ナビゲーション装置１(又は携帯無線端末２)との接続処理を行った後、当該配達員に割り当てられている配達先情報を当該車載ナビゲーション装置１(又は携帯無線端末２)に送信する。
【０１１８】
車載ナビゲーション装置１（又は携帯無線端末２)は、配達管理サーバ３から当該配達員に割り当てられている配達先を受信すると、当該配達員に割り当てられている配達先一覧を示す配達先選択画面（Ｂ）に遷移する。
【０１１９】
［配達先選択画面］
配達先選択画面（Ｂ）には、ログインした配達員に割り当てられている配達先一覧が表示される。ここで、配達先情報は、出発推奨時刻の早い順に表示される。配達先選択画面（Ｂ）の下側の領域には、地図アイコン、配達先選択アイコン、給油アイコン、ノウハウ登録アイコン、及び設定アイコンが表示される。ここで、これら５つのアイコン（「リンク先アイコン１４０１」という）は、車載ナビゲーション装置１(又は携帯無線端末２)における配達業務支援処理における全ての画面に共通に表示されるアイコンとなる。
そうすることで、どの業務画面を表示している場合においても、いずれかのリンク先アイコン１４０１をタップすることで、当該リンク先の業務画面に遷移することができる。
また、５つのリンク先アイコン１４０１のうち、現在有効となっている業務のリンク先アイコン１４０１のみが青色に表示される。他のリンク先アイコン１４０１はグレー表示される。そうすることで、現在画面に表示されている業務がどのリンク先アイコン１４０１の示す業務に属するかが一目でわかるようになっている。
例えば、配達先選択画面（Ｂ）では、配達先選択アイコンのみが青色表示される。
【０１２０】
次に、配達先選択画面（Ｂ）において、地図アイコンがタップされると、地図画面（Ｃ）に遷移する。地図画面（Ｃ）においては、ハウス型アイコン１４１１により、店舗の位置を示すとともに、表示画面上の中央にログインしている配達員の配達車両の現在位置が車両アイコン１４１２により示される。
【０１２１】
次に、給油アイコンがタップされると、給油情報が配達管理サーバ３に送信される。給油中の状態において、給油アイコンのみが点滅表示され、給油中を示すとともに、他のリンク先アイコン１４０１は明度を落として表示される。なお、給油アイコンのタップされた時点に表示されている表示画面は引き続き表示されるが明度を落として表示される。
【０１２２】
この間、車載ナビゲーション装置１（又は携帯無線端末２）は、配達管理サーバ３に対して、現在位置情報を送信している。配達車両が給油を完了して、配達車両を移動させると、配達管理サーバ３は配達車両の移動したことを検知して、配達車両の給油中ステータスを解除する。なお、配達管理サーバ３は、配達車両の起動スイッチがオンになったことを示す起動情報を受信した場合、配達車両の給油中ステータスを解除するようにしてもよい。
それにより、車載ナビゲーション装置１（又は携帯無線端末２）は、給油アイコンのタップされる前の業務画面である地図画面（Ｃ）に復帰する。
以上のように、給油する場合に、給油アイコンをタップすることで、配達管理サーバ３に給油情報を送信し、給油を完了した場合、自動的に給油中ステータスが解除される。
【０１２３】
図８に示す例は、配達先選択画面（Ｂ）において、地図アイコンをタップしたが、操作はこれに限定されない。前述したように、配達先を選択してＯＫボタンをタップすることにより、地図画面（Ｃ）において、選択された配達先までの往路や店舗までの復路情報を表示し、配達先までの往路及び店舗までの復路に関してルート案内を行う。そして、配達中において給油する場合、給油アイコンをタップすることで、配達管理サーバ３に給油情報を送信する。
【０１２４】
次に、図９Ａ〜図９Ｇを参照して配達管理制御処理について説明する。
図９Ａは画面の遷移を示す画面遷移図である。図９Ａに示すように、ログイン画面（Ａ）から、ＬＯＧＩＮボタンがタップされるとマップ画面（Ｂ）に遷移する。
具体的には、ログイン画面（Ａ）から、店舗管理者のアカウント及びパスワードを入力して、ＬＯＧＩＮボタンがタップされると、配達管理サーバ３は当該店舗用端末４との接続処理を行った後、マップ画面（Ｂ）を当該店舗用端末４に送信する。
店舗用端末４は、マップ画面（Ｂ）を受信すると、マップ画面（Ｂ）を表示部４４に表示する。図９Ｂにマップ画面（Ｂ）の一例を示す。
【０１２５】
［マップ画面］
図９Ｂに示すように、現在の配達員の状態が表示される。なお、マップ画面（Ｂ）は、店舗を出発している配達員のみが表示の対象とする。
マップ画面の左側の領域（「状態表示欄４４００」）に配達員の名前４４０１、ステータス情報４４０２、残りの配達件数４４０３、店舗への帰着予定時刻４４０４等が表示される。
店舗の位置を中心に地図を表示し、地図上に、店舗アイコン４４１１、配達員アイコン４４１２、配達員吹き出し４４１３、目的地４４１４、予定ルート４４１５等が重畳表示される。
また、店舗用端末４における配達業務支援処理における全ての画面の上側の領域（「業務ボタン領域４４２０」という）に共通に４つの業務ボタン（マップ、注文入力、業務管理、設定）が表示される。これらの業務ボタンを「業務リンクボタン４４２１」と総称する。そうすることで、どの業務画面を表示している場合においても、いずれかの業務リンクボタン４４２１をタップすることで、当該リンク先の業務画面に遷移することができる。
また、４つの業務リンクボタン４４２１のうち、現在有効となっている業務のボタンのみが青色に表示される。他の業務リンクボタン４４２１はグレー表示される。そうすることで、現在表示部４４に表示されている業務がどの業務リンクボタン４４２１の示す業務に属するかが一目でわかるようになっている。
例えば、マップ画面（Ｂ）では、マップ（ボタン）のみが青色表示される。
【０１２６】
［注文入力画面］
図９Ａに示すように、マップ画面（Ｂ）から、注文入力（ボタン）がタップされると、注文入力画面（Ｃ）に遷移する。
図９Ｃに注文入力画面（Ｃ）の一例を示す。
注文入力画面（Ｃ）を介して、配達先情報及び配達員が入力され、「注文を登録」ボタン４４３２がタップされると、当該配達先情報が配達管理サーバ３に送信され、配達管理サーバ３により、配達先情報が登録されるとともに、記憶部３１の配達先情報エリア３１３からジオフェンス情報を読み出して、当該配達先のジオフェンス情報を設定し、配達員が当該配達先に割り当てられる。そして、図９Ａに示すように、マップ画面（Ｂ）に遷移する。
【０１２７】
また、注文入力画面（Ｃ）において、「まとめて登録」ボタン４４３１がタップされると、図９Ａに示すように、未完了業務画面（Ｅ）に遷移する。未完了業務画面（Ｅ）については後述する。
【０１２８】
［配達員ステータス画面］
図９Ａに示すように、マップ画面（Ｂ）において、業務管理（ボタン）がタップされると、業務情報表示画面における配達員ステータス画面（Ｄ）に遷移する。
図９Ｄに配達員ステータス画面（Ｄ）の一例を示す。
図９Ｄに示すように、業務情報表示画面には、上側の領域（「業務情報ボタン領域４４４０」という）に共通に４つの業務情報リンクボタン（配達員ステータス、未完了業務、配達履歴、統計情報）が表示される。これらの業務情報リンクボタンを「業務情報リンクボタン４４４１」と総称する。そうすることで、どの業務情報を表示している場合においても、いずれかの業務情報リンクボタン４４４１をタップすることで、当該リンク先の業務情報表示画面に遷移することができる。
また、４つの業務情報リンクボタン４４４１のうち、現在有効となっている業務情報リンクボタン４４４１のみが青色に表示される。そうすることで、現在表示部４４に表示されている業務情報がどの業務情報リンクボタン４４４１の示す業務情報に属するかが一目でわかるようになっている。
【０１２９】
配達員ステータス画面（Ｄ）には、現時点の配達員のステータス情報（配達員氏名、ステータス、配達先等）が表示される。具体的には、ステータス情報（配達中、接客中、停止中、異常停止、帰還中、給油中、未配達、待機中、ログアウト）を第１ソートキー、配達員の名前を第２ソートキーとして、ソートされた配達員のステータス情報一覧が表示される。
なお、複数の配達先を一括配達とされ、複数配達の場合、現在配達中の業務についてのステータスが表示される。
【０１３０】
［未完了業務画面］
配達員ステータス画面（Ｄ）において、「未完了業務」ボタンがタップされると、図９Ａに示すように、未完了業務画面（Ｅ）に遷移する。
図９Ｅに未完了業務画面（Ｅ）の一例を示す。
未完了業務画面（Ｅ）に現時点における配達ステータスが、「完了」（配達が全て完了し、店舗に帰着が完了した配達業務）以外の配達管理データにおける、配達員名、配達ステータス、出発予定時刻、出発時刻（実績）、配達予定時刻、配達時刻（実績）、帰着予定時刻、帰着時刻（実績）、配達先等の未完了業務一覧が表示部４４に表示される。
なお、担当者が未割当の場合、配達員の欄には「−」を表示するとともに、未割当業務が優先的に画面上に表示される。
【０１３１】
未完了業務画面（Ｅ）において、一括配達を設定することができる。
具体的には、未配達ステータスの配達先のチェックボックス４４５１を２つ以上タップすることで、複数の配達先が選択され、複数の未配達ステータスの配達先が選択された後、一括配達ボタン４４５２をタップすることで、これらの配達を一括配達に設定することができる。
【０１３２】
［未完了業務画面］
配達員ステータス画面（Ｄ）において、配達履歴がタップされると、配達履歴画面（Ｆ）に遷移する。
図９Ｆに配達履歴画面（Ｆ）の一例を示す。
配達履歴画面（Ｆ）には、上側の領域（「配達履歴表示切替ボタン領域４４６０」という）に共通に４つの表示切替ボタン４４６１（今日、指定日、過去１週間、過去１か月）が表示される。いずれかの表示切替ボタン４４６１をタップすることで、対応する期間の配達履歴情報（配達員、配達日、出発時刻、到着時刻、停車／経過時間、配達先）を配達管理サーバ３から受信して、表示部４４に表示される。図９Ｆには、過去１か月の配達履歴情報の一例を示す。
【０１３３】
［統計情報画面］
配達員ステータス画面（Ｄ）において、統計情報がタップされると、統計情報画面（Ｇ）に遷移する。
図９Ｇに統計情報画面（Ｇ）の一例を示す。
統計情報画面（Ｇ）には、上側の領域（「統計情報表示切替ボタン領域４４７０」という）に３つの表示切替ボタン４４７１（平均配達先滞在時間、平均移動距離、配達時間に対する停車時間）が表示される。いずれかの表示切替ボタン４４７１をタップすることで、対応する統計情報（平均配達先滞在時間、平均移動距離、配達時間に対する停車時間）が配達管理サーバ３から受信され、表示部４４に表示される。図９Ｇには、配達時間に対する停車時間（％）の統計情報の一例を示す。
【０１３４】
以上のように、店舗の責任者等が、配達状況を管理するためには、「業務リンクボタン」等をタップすることで、配達管理サーバ３から、目的に沿った配達管理情報を受信して、表示させることができる。
【０１３５】
以上説明した配達管理システム１００によれば、以下のような効果を奏する。
【０１３６】
（１）上記実施形態の配達管理サーバ３によれば、ステータス判定部３０Ａは配達車両のステータス情報を給油中ステータスであると判定した後に、当該配達車両の状態が予め設定される給油解除条件を満たす場合に、当該配達車両の給油中ステータスを自動的に解除する。
これにより、配達管理サーバ３は、配達車両の状態が給油解除条件を満たす場合に、配達車両の給油中ステータスの解除を自動的に行うことができる。また、配達車両の燃料がフルになった時点及び場所を特定することが可能となり、燃料（ガソリン、電気）の残容量を踏まえた配達計画の作成を可能となる。
【０１３７】
（２）上記実施形態の配達管理サーバ３によれば、ステータス判定部３０Ａは配達車両から受信する前記配達車両の現在位置情報の示す位置が、時系列的に変化する場合に、当該配達車両の給油中ステータスを自動的に解除する。
これにより、配達車両の燃料がフルになった時点及び場所を特定することが可能となる。
【０１３８】
（３）上記実施形態の配達管理サーバ３によれば、ステータス判定部３０Ａは配達車両の起動スイッチがオンになったことを示す起動情報を受信する場合に、当該配達車両の給油中ステータスを自動的に解除する。
これにより、配達車両の燃料がフルになった時点及び場所を特定することが可能となる。
【０１３９】
（４）上記実施形態の配達管理サーバ３によれば、配達先の配達車両への割り当てについて、配達先情報及び直近の給油中ステータスが解除されて以降の配達車両のステータス情報に基づいて決定する配達先割当部３０７を備える。
それにより、配達車両に特別な仕組みを導入することなく、燃料（ガソリン、電気）の残容量を踏まえた配達計画の作成を可能とし、配達車両の停止時間を少なくするように、配達業務効率を高めることが可能となる。
【０１４０】
以上、本発明の好ましい実施形態につき説明したが、本発明は、上述の実施形態に制限されるものではなく、適宜変更が可能である。
【０１４１】
［変形例１］
本実施形態に配達管理サーバ３を１台のサーバとして実施したが、別の実施形態として、配達管理サーバ３の各機能を、適宜複数のサーバに分散する、分散処理システムとしてもよい。また、クラウド上で仮想サーバ機能等を利用して、配達管理サーバ３の各機能を実現してもよい。
【０１４２】
［変形例２］
本実施形態のジオフェンス設定部３０５は、配達先の緯度経度から所定の半径の範囲内のエリアを配達先のジオフェンス情報として設定するように実施したが、ジオフェンス設定部３０５は、さらに車載ナビゲーション装置１（又は携帯無線端末２）の表示部１４（又は表示部２４）に表示される「給油中」ボタンがオン操作された時点の緯度経度を含むエリアを給油用のジオフェンス情報（給油エリア）として設定するように実施することも可能である。
例えば、図８に示すように、車載ナビゲーション装置１（又は携帯無線端末２）の表示部１４（又は表示部２４）に「給油中」ボタンを表示して、配達員により当該ボタンのオン操作がなされた場合、車載ナビゲーション装置１（又は携帯無線端末２）から当該配達車両の給油情報が配達管理サーバ３に送信される。それに対して、配達管理サーバ３のジオフェンス設定部３０５は、「給油中」ボタンがオン操作された時点の緯度経度を含むエリアを示すジオフェンス情報を設定することができる。
具体的な実施の形態を図１０に示す。例えば、「給油中」ボタンがオン操作された時点の直近に測位された車載ナビゲーション装置１（又は携帯無線端末２）の位置を中心として、所定の半径（例えば半径５０ｍ）のエリアを給油用のジオフェンス情報（給油エリア）として設定する。なお、半径５０ｍは一例であって、これに限定されない。
この場合、図１０に示すように、車載ナビゲーション装置１（又は携帯無線端末２）の位置情報が、当該給油エリアの範囲外において所定回数（例えば２回）測位された場合に、当該配達車両が給油エリアから出たと判定するように構成することができる。なお、２回は一例であって、これに限定されない。
【符号の説明】
【０１４３】
１００  配達管理システム
１  車載ナビゲーション装置
１０  制御部
１０１  接続処理部
１０２  イグニッション情報部
１０３  位置情報通知部
１０４  給油情報通知部
１０５  ルート案内部
１１  記憶部
１２  無線部
１３  センサ部
１４  表示部
１５  入力部
２  携帯無線端末
２０  制御部
２０１  接続処理部
２０３  位置情報通知部
２０４  給油情報通知部
２０５  ルート案内部
２１  記憶部
２２  無線部
２３  センサ部
２４  表示部
２５  入力部
３  配達管理サーバ
３０  制御部
３０１  接続処理部
３０２  受信部
３０３  送信部
３０４  配達先情報登録部
３０５  ジオフェンス設定部
３０６  配達管理データ生成部
３０７  配達先割当部
３０８  ルート設定部
３０９  ルート通知部
３０Ａ  ステータス判定部
３０Ｂ  履歴データ作成部
３０Ｃ  配達管理情報作成部
３０Ｄ  統計情報作成部
３０Ｅ  配達管理／統計情報提供部
３１  記憶部
３１１  配達員情報エリア
３１２  配達車両情報エリア
３１３  配達先情報エリア
３１４  ルート案内エリア
３１５  配達管理情報エリア
３１６  履歴情報エリア
３２  通信部
４  店舗用端末
４０  制御部
４０１  接続処理部
４０２  配達先情報入力部
４０３  配達管理／統計情報照会部
４１  記憶部
４２  通信部
【図１】
2018055468.tif 000003
【図２】
2018055468.tif 000004
【図３】
2018055468.tif 000005
【図４】
2018055468.tif 000006
【図５】
2018055468.tif 000007
【図６】
2018055468.tif 000008
【図７】
2018055468.tif 000009
【図８】
2018055468.tif 000010
【図９Ａ】
2018055468.tif 000011
【図９Ｂ】
2018055468.tif 000012
【図９Ｃ】
2018055468.tif 000013
【図９Ｄ】
2018055468.tif 000014
【図９Ｅ】
2018055468.tif 000015
【図９Ｆ】
2018055468.tif 000016
【図９Ｇ】
2018055468.tif 000017
【図１０】
2018055468.tif 000018